【手続補正書】
【提出日】平成24年3月2日(2012.3.2)
【手続補正１】
【補正対象書類名】特許請求の範囲
【補正対象項目名】全文
【補正方法】変更
【補正の内容】
【特許請求の範囲】
【請求項１】
導入口、排出口、及びバルブポートを備える弁本体と、アクチュエータ制御要素及びアクチュエータ制御アセンブリを備えるアクチュエータとを備え、下流側の圧力をアクチュエータ設定点圧力にほぼ等しく保つように前記アクチュエータが前記下流側の圧力の検出及び調節を行う流体流量調節装置のための監視装置であって、
前記弁本体内へ延びており、前記導入口と前記排出口との間の流体の流れを許可および阻止すべく前記バルブポートに対して変位可能であり、前記バルブポートから離れて前記導入口と前記排出口との間の流体の流れを許可する開放位置と、前記バルブポートに当接して前記導入口と前記排出口との間の流体の流れを阻止する閉鎖位置との間を移動することができる監視器制御要素と、
前記監視器制御要素へ作用可能に接続され、前記弁本体の前記導入口より入って前記排出口から出る流体の流れの方向に垂直な平面を有しており、第１の面が前記流体流量調節装置の下流側の圧力に流体連通しており、第２の面が前記下流側の圧力によって前記第１の面へと加えられる力に逆らって付勢されており、前記下流側の圧力が監視器設定点圧力よりも大きいときに前記監視器制御要素を前記閉鎖位置へと動かすように撓むダイアフラムとを備え、
前記監視器設定点圧力は前記アクチュエータ設定点圧力よりも高い、監視装置。
【請求項２】
前記弁本体の上流側の圧力が、前記監視器制御要素へと前記開放位置の方向に力を加え、
当該監視装置は、前記監視器制御要素に当接する第１の面と、前記上流側の圧力に流体連通する第２の面とを有している釣り合いダイアフラムを備えており、該釣り合いダイアフラムが前記監視器制御要素へ前記閉鎖位置の方向に力を加える、請求項１に記載の監視装置。
【請求項３】
前記監視器制御要素を前記開放位置に向かって付勢する開きばねを備えており、
前記釣り合いダイアフラムは、該釣り合いダイアフラムによって加えられる力が前記上流側の圧力によって加えられる力と前記開きばねによって加えられる付勢力との和にほぼ等しくなるように構成されている、請求項２に記載の監視装置。
【請求項４】
前記監視器制御要素及び前記ダイアフラムへ作用可能に接続された制御アームを備えており、
前記下流側の圧力が前記監視器設定点圧力よりも大きいときの前記ダイアフラムの撓みによって、前記制御アームが前記監視器制御要素を前記閉鎖位置へと動かす、請求項３に記載の監視装置。
【請求項５】
前記ダイアフラムを前記下流側の圧力によって加えられる力に逆らって付勢する制御ばねを備えている、請求項４に記載の監視装置。
【請求項６】
カバーを有するハウジングを備えており、
前記カバーは、前記ハウジングの内部を当該監視装置の周囲の大気に流体連通させる通気ポートを備えており、
当該監視装置の内部に溜まる液体を当該監視装置から排出すべく前記通気ポートの付近に集めるために、前記ハウジング及び前記カバーが前記通気ポートを当該監視装置の最も下方の地点の付近に位置させることができるよう、前記カバーを複数の位置に取り付けることができるように構成されている、請求項５に記載の監視装置。
【請求項７】
当該監視装置を前記弁本体へと接続する接続モジュールを備えており、
該接続モジュールは、前記下流側の圧力を前記ダイアフラムの前記第１の面へと連絡させるべく前記ダイアフラムの前記第１の面に流体連通した導入ポートを有しており、
前記弁本体及び前記接続モジュールが、前記通気ポートを当該監視装置の最も下方の地点の付近に配置できるように前記カバーの外縁を当該監視装置の最も下方の地点の付近に配置できるよう、当該監視装置を複数の位置にて取り付けできるように構成されている、請求項６に記載の監視装置。
【請求項８】
前記接続モジュールは、前記導入ポート及び前記ダイアフラムの前記第１の面に流体連通した下流側圧力フィードバック通路を備えており、
前記下流側圧力フィードバック通路は、前記接続モジュールが該接続モジュールの複数の位置のうちの１つに向けられたときに、前記ダイアフラムの前記第１の面を前記弁本体の前記排出口に位置する前記下流側の圧力に流体連通させるために、前記弁本体を貫いて前記弁本体の前記排出口へと至る対応する通路に整列する、請求項７に記載の監視装置。
【請求項９】
前記ハウジングは、円形の開口を備えており、前記カバーは、前記ハウジングの前記開口にかぶさるように構成されており、
さらに、前記ハウジングは、前記開口を中心にして周方向に間隔を空けて配置された複数の穴をさらに備えており、前記カバーは、該カバーの前記通気ポートを当該監視装置の最も下方の地点の付近に位置させるために、該カバーの複数の不連続な位置において前記ハウジングの前記穴に整列させることができる周方向に間隔をおいて配置された対応する複数の穴を備えている、請求項６に記載の監視装置。
【請求項１０】
前記ダイアフラムの前記第２の面に流体連通し、前記ダイアフラムの前記第２の面に予荷重の圧力を加え、前記ダイアフラムを前記下流側の圧力によって加えられる力に逆らって付勢する圧力導入装置を備えている、請求項１に記載の監視装置。
【請求項１１】
前記圧力導入装置は、上流の流体源に流体連通した導入口と、前記予荷重の圧力を前記ダイアフラムの前記第２の面へ付与すべく前記ダイアフラムに流体連通した排出口とを備えている、請求項４に記載の監視装置。
【請求項１２】
流体流量調節装置であって、
導入口、排出口、及び前記導入口と前記排出口との間に配置されたバルブポートを有しており、流体を上流の流体源から前記導入口、前記バルブポート、及び前記排出口を通って流体分配システムの下流部分へと流すことができる弁本体と、
前記弁本体へ組み合わせられて当該流体流量調節装置の下流側の圧力を検出及び調節するためのアクチュエータ制御アセンブリを備えており、前記アクチュエータ制御アセンブリは前記弁本体へと延びており且つ前記導入口と前記排出口との間の流体の流れを制御すべく前記バルブポートに対して変位可能であるアクチュエータ制御要素を備えており、前記アクチュエータ制御要素は前記バルブポートに当接して前記導入口と前記排出口との間の流体の流れを阻止する閉鎖位置と前記バルブポートから離れて前記導入口と前記排出口との間の流体の流れを許可する開放位置との間を移動し、前記アクチュエータ制御アセンブリは前記下流側の圧力をアクチュエータ設定点圧力にほぼ等しく保つべく前記アクチュエータ制御要素が前記下流側の圧力の変化に応答して前記開放位置と前記閉鎖位置との間の位置へと動くように前記下流側の圧力に流体連通しているアクチュエータと、
前記弁本体へ組み合わせられた監視装置とを備えており、
前記監視装置は、
前記弁本体内へ延びており、前記導入口と前記排出口との間の流体の流れを許可及び阻止すべく前記バルブポートに対して変位可能であり、前記バルブポートから離れて前記導入口と前記排出口との間の流体の流れを許可する開放位置と、前記バルブポートに当接して前記導入口と前記排出口との間の流体の流れを阻止する閉鎖位置との間を移動することができる監視器制御要素と、
前記監視器制御要素へ作用可能に接続され、前記監視器制御要素の前記開放位置と前記閉鎖位置との間の移動の方向に平行な平面を有しており、第１の面が当該流体流量調節装置の前記下流側の圧力に流体連通しており、第２の面が前記下流側の圧力によって前記第１の面へと加えられる力に逆らって付勢されており、前記下流側の圧力が監視器設定点圧力よりも大きいときに前記監視器制御要素を前記閉鎖位置へと動かすように撓むダイアフラムとを備えており、
前記監視器設定点圧力は前記アクチュエータ設定点圧力よりも高い、流体流量調節装置。
【請求項１３】
前記上流側の圧力は、前記監視器制御要素へと前記開放位置の方向に力を加え、
前記監視装置は、前記監視器制御要素に当接する第１の面と、前記上流側の圧力に流体連通する第２の面とを有している釣り合いダイアフラムを備えており、該釣り合いダイアフラムが、前記監視器制御要素へと前記閉鎖位置の方向に力を加える、請求項１２に記載の流体流量調節装置。
【請求項１４】
前記監視装置は、前記監視器制御要素を前記開放位置に向かって付勢する開きばねを備えており、
前記釣り合いダイアフラムは、該釣り合いダイアフラムによって加えられる力が前記上流側の圧力によって加えられる力と前記開きばねによって加えられる付勢力との和にほぼ等しくなるように構成されている、請求項１３に記載の流体流量調節装置。
【請求項１５】
前記監視装置は、前記監視器制御要素及び前記ダイアフラムへ作用可能に接続された制御アームを備えており、
前記下流側の圧力が前記監視器設定点圧力よりも大きいときの前記ダイアフラムの撓みによって、前記制御アームが前記監視器制御要素を前記閉鎖位置へと動かす、請求項１２に記載の流体流量調節装置。
【請求項１６】
前記監視装置は、前記ダイアフラムを前記下流側の圧力によって加えられる力に逆らって付勢する制御ばねを備えている、請求項１２に記載の流体流量調節装置。
【請求項１７】
前記ダイアフラムの前記第２の面に流体連通し、前記ダイアフラムの前記第２の面へと予荷重の圧力を加え、前記ダイアフラムを前記下流側の圧力によって加えられる力に逆らって付勢する圧力導入装置を備えている、請求項１２に記載の流体流量調節装置。
【請求項１８】
前記圧力導入装置が、前記上流の流体源に流体連通した導入口と、前記予荷重の圧力を前記ダイアフラムの前記第２の面へと加えるべく前記監視装置に流体連通した排出口とを備えている、請求項１７に記載の流体流量調節装置。
【請求項１９】
前記監視装置は、カバーを有するハウジングを備えており、
前記カバーは、前記ハウジングの内部を前記監視装置の周囲の大気に流体連通させる通気ポートを備えており、
前記ハウジング及び前記カバーは、前記監視装置の内部に溜まる液体を前記監視装置から排出すべく前記通気ポートの付近に集めるために、前記通気ポートを前記監視装置の最も下方の地点の付近に位置させることができるよう、前記カバーを複数の位置に取り付けることができるように構成されている、請求項１２に記載の流体流量調節装置。
【請求項２０】
前記ハウジングは、円形の開口を備えており、前記カバーは、前記ハウジングの前記開口にかぶさるように構成されており、
さらに、前記ハウジングは、前記開口を中心にして周方向に間隔を空けて配置された複数の穴を備えており、前記カバーは、該カバーの前記通気ポートを前記監視装置の最も下方の地点の付近に位置させるために、該カバーの複数の不連続な位置において前記ハウジングの前記穴に整列させることができる周方向に間隔を空けて配置された対応する複数の穴を備えている、請求項１９に記載の流体流量調節装置。
【請求項２１】
前記監視装置は、該監視装置を前記弁本体へと接続する接続モジュールを備えており、
前記接続モジュールは、前記下流側の圧力を前記ダイアフラムの前記第１の面へと連絡させるべく、前記ダイアフラムの前記第１の面に流体連通した導入ポートを有しており、
前記弁本体及び前記接続モジュールは、前記通気ポートを前記監視装置の最も下方の地点の付近に配置できるように前記カバーの外縁を前記監視装置の最も下方の地点の付近に配置できるよう、前記監視装置を複数の位置にて取り付けできるように構成されている、請求項１９に記載の流体流量調節装置。
【請求項２２】
前記接続モジュールは、前記導入ポート及び前記ダイアフラムの前記第１の面に流体連通した下流側圧力フィードバック通路を備えており、
前記下流側圧力フィードバック通路は、前記接続モジュールが該接続モジュールの複数の位置のうちの1つに向けられたときに、前記ダイアフラムの前記第１の面を前記弁本体の前記排出口に位置する前記下流側の圧力に流体連通させるために、前記弁本体を貫いて前記弁本体の前記排出口へと至る対応する通路に整列する、請求項２１に記載の流体流量調節装置。